(57)【要約】【課題】個人の体格差、趣味嗜好に合わせて調整できるようにして、快適性を向上させた、ベッド装置を提供する。【解決手段】起伏変位可能なボトム３上面に配置するベーシック部材４と、このベーシック部材４上に配置する、中間部材５と、前記ベーシック部材４と中間部材５とを一体的に被せ配置する上層部材６とを備える。前記ボトム３の長手方向端面には、ボトム３のずれ止め部材８を設ける。前記ベーシック部材４は波板形状に形成し、通気性のよい表地９で覆い、この表地９には、中間部材５を構成する分割部材５ａ〜５ｈを保持するための保持帯８を設ける。分割部材５ａ〜５ｈには、網状袋体９により覆い、素材の硬さを表示したタグ１２を設ける。前記上層部材６は、多数の通気孔を有するウレタンフォーム材をニット地で覆って構成し、下部周縁部６Ｅにより、前記ボトム３およびベッドフレーム２を覆う寸法設定とする。【選択図】              図３
2004180880.tif 000002
【特許請求の範囲】
【請求項１】
起伏変位可能なボトム上に載置する反動抑制機能のベーシック部材と、このベーシック部材上に配置する、クッション調整性を有する中間部材と、前記ベーシック部材と中間部材とを一体的に被せ配置する通気性の上層部材とを備え、前記ボトムはベッドフレームに起伏可能に支持する構成としたことを特徴とするベッド装置。
【請求項２】
前記中間部材をベーシック部材の下に配置させて、前記上層部材を中間部材とベーシック部材とに一体的に被せて、前記ボトム上に載置するようにしたことを特徴とする請求項１記載のベッド装置。
【請求項３】
前記上層部材は、下部周縁部により、前記ボトムおよびベッドフレーム側面を覆う構成としたことを特徴とする請求項１または２記載のベッド装置。
【請求項４】
前記上層部材は、前記中間部材およびベーシック部材のみを覆う構成としたことを特徴とする請求項１または２記載のベッド装置。
【請求項５】
前記ボトムに前記ベーシック部材のずれ止め部材を配設したことを特徴とする請求項１ないし３記載のうち、いずれか１記載のベッド装置。
【請求項６】
前記ベーシック部材は、合成樹脂製繊維を波形形状に成形して構成したことを特徴とする請求項１、２、４、５記載のうち、いずれか１記載のベッド装置。
【請求項７】
前記中間部材は、複数の分割部材で構成し、これら分割部材は、異なる固さの素材で構成して適宜交換可能に配置するようにしたことを特徴とする請求項１、２、４記載のうち、いずれか１記載のベッド装置。
【請求項８】
前記ベーシック部材に、前記中間部材を構成する複数の分割部材を着脱可能に保持する保持帯を備えたことを特徴とする請求項１、２、４、５、６記載のうち、いずれか１記載のベッド装置。
【請求項９】
前記中間部材に、多数の通気孔を配したことを特徴とする請求項１、２、４、７、８記載のうち、いずれか１記載のベッド装置。
【請求項１０】
前記上層部材に凹凸加工を施したことを特徴とする請求項１ないし４記載のうち、いずれか１記載のベッド装置。
【請求項１１】
前記上層部材に、多数の通気孔を配したことを特徴とする請求項１ないし４、１０記載のうち、いずれか１記載のベッド装置。
【請求項１２】
前記中間部材における分割部材を、それぞれ網状袋体で覆う構成とし、ボトム幅方向端面に対応する箇所に素材の硬さを表示するタグを設けたことを特徴とする請求項７または８記載のベッド装置。
【請求項１３】
前記上層部材にシーツの係着手段を設けたことを特徴とする請求項１ないし４、１０、１１記載のうちいずれか１記載のベッド装置。
【請求項１４】
前記上層部材に、上層部材内に前記ベーシック部材と中間部材とを収容保持する裏当て部材を装着したことを特徴とする請求項１ないし４、１０、１１、１３記載のうち、いずれか１記載のベッド装置。
【請求項１５】
前記上層部材と前記ベーシック部材または中間部材とを係着する係着手段を設けたことを特徴とする請求項１ないし４、１０、１１、１３記載のうちいずれか１記載のベッド装置。
【発明の詳細な説明】
【０００１】
【発明の属する技術分野】
本発明は、個人の体格差、趣味嗜好に合わせて調整できるようにして、快適性を向上させた、ベッド装置に関するものである。
【０００２】
【従来の技術】
これまでのベッドは、そのボトム上に、別に製作したマットレスを載置して構成していた。すなわち、前記マットレスはあくまでベッド装置の一部であり、そのベッド装置に合わせて、様々な素材を用いて構成していた。
健常者が使用するベッドにおいては、人によって大きく好み嗜好が違うのは当然であり、一方、病院にあっては、それぞれ使用者の傷病状況に応じて素材を選定し、ベッドを形成してきた。
【０００３】
ここで良質な眠りをもたらすための要因として、ベッド装置としては
Ａ．人が乗ったときや、寝返りにより発生する反動を抑制可能であること、
Ｂ．人の新陳代謝により発生する熱と水分を、寝返り等の体動により、クッション材自体が呼吸するように拡縮変形することで放散させ、衣服内湿度を適度に保つものであること、
Ｃ．個人の体格差、趣味嗜好に合わせてクッション性を調整できるものであること、
を具備することが望ましいことが判明している。
【０００４】
【発明が解決しようとする課題】
そのためには、体圧分散と適正な身体のサポート、通気性、マットレスの制震性、血流阻害の低減、マットレスを曲げた時に生じるずれ力の抑制、耐久構造等、各要素を同時に満足し、個人の体格差、趣味嗜好に合わせて調整できるようにすることで快適性を向上させ、併せて従来のようなマットレスの概念ではなくも一つのベッド装置の一部として構成して、外観性も新規なベッド装置として提案するに至ったのである。
本発明はこのような背景により、快適な睡眠をもたらすことのできる、ベッド装置を提供することを目的とする。
【０００５】
【課題を解決するための手段】
前記した課題を解決するために、本発明では、請求項１において、起伏変位可能なボトム上に載置する反動抑制機能のベーシック部材と、このベーシック部材上に配置する、クッション調整性を有する中間部材と、前記ベーシック部材と中間部材とを一体的に被せ配置する通気性の上層部材とを備え、前記ボトムはベッドフレームに起伏可能に支持する構成としたベッド装置を提案する。
また本発明では、請求項２において、前記中間部材をベーシック部材の下に配置させて、前記上層部材を中間部材とベーシック部材とに一体的に被せて、前記ボトム上に載置するようにしたベッド装置を提案する。
また本発明では、請求項３において、前記上層部材は、下部周縁部により、前記ボトムおよびベッドフレーム側面を覆う構成としたベッド装置を提案する。
また本発明では、請求項４において、前記上層部材は、前記中間部材およびベーシック部材のみを覆う構成としたベッド装置を提案する。
また本発明では、請求項５において、前記ボトムに前記ベーシック部材のずれ止め部材を配設したベッド装置を提案する。
また本発明では、請求項６において、前記ベーシック部材は、合成樹脂製繊維を波形形状に成形して構成したベッド装置を提案する。
また本発明では、請求項７において、前記中間部材は、複数の分割部材で構成し、これら分割部材は、異なる固さの素材で構成して適宜交換可能に配置するようにしたベッド装置を提案する。
また本発明では、請求項８において、前記ベーシック部材に、前記中間部材を構成する複数の分割部材を着脱可能に保持する保持帯を備えたベッド装置を提案する。
また本発明では、請求項９において、前記中間部材に、多数の通気孔を配したベッド装置を提案する。
また本発明では、請求項１０において、前記上層部材に凹凸加工を施したベッド装置を提案する。
また本発明では、請求項１１において、前記上層部材に、多数の通気孔を配したベッド装置を提案する。
また本発明では、請求項１２において、前記中間部材における分割部材を、それぞれ網状袋体で覆う構成とし、ボトム幅方向端面に対応する箇所に素材の硬さを表示するタグを設けたベッド装置を提案する。
また本発明では、請求項１３において、前記上層部材にシーツの係着手段を設けたベッド装置を提案する。
また本発明では、請求項１４において、前記上層部材に、上層部材内に前記ベーシック部材と中間部材とを収容保持する裏当て部材を装着したベッド装置を提案する。
さらに本発明では、請求項１５において、前記上層部材と前記ベーシック部材または中間部材とを係着する係着手段を設けたベッド装置を提案する。
【０００６】
請求項１、２によれば、ベーシック部材によって、人が上層部材に乗った際や、寝返りの際の反動を抑え、中間部材によってクッション性を調整し、上層部材によって通気性が阻害されず、快適な眠りをもたらす。
【０００７】
請求項３によれば、ボトム上面に載置したベーシック部材と共に中間部材に被せた上層部材の下部周縁部は、床面に近接した箇所で、前記ボトムおよびベッドフレームを覆うため、ボトムはもちろん、ベッドフレームも隠れ、シンプルな外観をもたらす。
【０００８】
請求項４によれば、中間部材およびベーシック部材の側面は上層部材によって覆われ、これら中間部材およびベーシック部材の幅方向へのずれを抑えることができる。
【０００９】
請求項５によれば、ボトムを起伏変位させても、ずれ止め部材によりベーシック部材をはじめ、中間部材、上層部材をずれることなく保持することができる。
【００１０】
請求項６によれば、ベーシック部材を、合成樹脂製繊維を波形形状に成形して構成したことにより、柔軟性を有し、使用者の動きに起因する振動を吸収し、また、曲げ応力、せん段応力を吸収するので、ボトムを起伏変位させた際、前記ベーシック部材はボトムの変位に追従し、ずれ力の発生を抑えることができる。
【００１１】
請求項７によれば、中間部材における分割部材を、異なる固さの素材のものを適宜交換配置することで、硬さを使用者の好みに合わせたものに調整することができる。
【００１２】
請求項８によれば、ベーシック部材に、クッション性を調整するべく選定した分割部材を、それぞれ保持帯により、分割部材の反発性を利用して抜け落ちないように保持することができる。
【００１３】
請求項９によれば、中間部材を構成する素材に多数の通気孔を形成したことにより、通気性の確保が図られる。
【００１４】
請求項１０によれば、上層部材に凹凸加工を施したことにより、反力を抑制して使用者の血流阻害の低減が図られる。
【００１５】
請求項１１によれば、上層部材を構成する素材に多数の通気孔を形成したことにより、一層、通気性の確保が図られる。
【００１６】
請求項１２によれば、中間部材の分割部材は、素材の硬さを表示するタグによって、選択する際の便を図ることができる。
【００１７】
請求項１３によれば、上層部材にシーツを取り付けやすく、ベッドメーキングが容易となる。
【００１８】
請求項１４によれば、上層部材とベーシック部材および中間部材とは、ばらばらになるようなことはなく、反動抑制、通気性を損なうことはなく、さらには好みのクッション性で使用することができる。
【００１９】
請求項１５によれば、人の重みで変形しても、上層部材とベーシック部材および中間部材とは、ばらばらになるようなことはなく、反動抑制、通気性を損なうことはなく、さらには好みのクッション性で使用することができる。
【００２０】
【発明の実施の態様】
次に、本発明にかかるベッド装置について、一つの実施の態様を示し、添付の図面に基づいて以下説明する。
図１、図２、図３にベッド装置１を示す。このベッド装置１は、起伏変位可能なボトム３上面に配置するベーシック部材４と、このベーシック部材４上に配置する、中間部材５と、前記ベーシック部材４と中間部材５とを一体的に被せ配置する上層部材６とを備えている。なお前記ボトム３は、後述するがベッドフレーム２に、起伏機構（図示省略）を介してするようにしている。
【００２１】
前記ベッドフレーム２は、四隅にその太さ寸法と同等な長さ寸法の固定脚７を設けている。もちろん、ベッドフレーム２の固定脚７は、移動用キャスタを装着した構成もよい。
【００２２】
前記ボトム３は、起伏機構により、前記ベッドフレーム２に起伏可能に支持する構成とし、例えば背に対応する背ボトム３ａ、腰に対応する腰ボトム３ｂ、膝に対応する膝ボトム３ｃ、脛から下を支える足ボトム３ｄに分割され、さらに、前記背ボトム３ａと腰ボトム３ｂとの間、および膝ボトム３ｃと足ボトム３ｄとの間にそれぞれ、適度な曲率で湾曲変位する湾曲ボトム３ｅ，３ｆを介在している。かかるボトム３を、前記起伏機構により、背上げ、膝上げ調節を行なう構成としている。
また、前記ボトム３の長手方向端面には、ボトム３を起伏動作させた際にずれないように保持するためのずれ止め部材８を設けている。ずれ止部材８はコ型形状の軸部材で構成している。
【００２３】
前記ベーシック部材４は、硬綿系中芯材で構成したもので、この硬綿系中芯材は、例えば弾力性を有する巻縮ステープルより構成したランダムウェブ（図示省略）にニードル加工を施して、このランダムウェブを平板状に加工すると共に波板形状に形成し、加熱処理をして成形保持すると共に、この熱処理したウェブを、伸縮性の布部材を介して、長手方向に縫製加工を施したものである。
前記巻縮ステープルは、例えば、ポリエステル、ポリエチレン、ポリプロピレン繊維やこれらの複合繊維によって構成することができる。
かかるベーシック部材４には、素材の通気性のよい表地９で覆うようにしている。この表地９には、マットレス長手両側面近傍に沿って後述する中間部材５を保持するための保持帯１０を設けている。
【００２４】
前記中間部材５は、複数の分割部材５ａ，５ｂ，５ｃ，５ｄ，５ｅ，５ｆ，５ｇ，５ｈで構成し、これら分割部材５ａ〜５ｈは、それぞれ種々の異なる固さの素材で構成したものを備えており、使用状況に応じて、適宜交換して前記ベーシック部材４を包む表地９の保持帯１０により配置保持するようにしている（図５参照）。
かかる分割部材５ａ〜５ｈの素材には、多数の通気孔（図示省略）を形成し、それぞれ表地として網状袋体１１により覆うようにしており、通気性を確保している（図６参照）。またこの網状袋体１１のボトム幅方向端面に対応する箇所には、素材の硬さを表示したタグ１２を逢着することができる。なお、このタグ１２において素材の表示する手段は適宜である。例えば、数値で素材の硬さを表示することができるし、また、タグ１２に硬さを色で表示するようにしてもよい。前記分割部材５ａ〜５ｈを保持するための保持帯１０は、前記ベーシック部材４を包む表地９の長手両側面近傍に沿って、帯状の布部材をループ状に縫着している。かかるループ状の保持帯１０にそれぞれ分割部材５ａ〜５ｈの両端部近傍を差し入れて、前記分割部材５ａ〜５ｈの拡縮変形力によって、簡単には抜けないように保持する構成である。
なお、前記ベーシック部材４と中間部材５とは、逆に配置するようにしてもよい。
【００２５】
そして前記上層部材６は、詰物として例えば多数の通気孔を有するウレタンフォーム材をニット地で覆って構成している。ニット地としては、特に吸汗性、速乾性に優れ、皮膚に対する刺激が小さく、静電気の発生を抑制すると共に、帯電しにくい特性のものが好適である。
かかる上層部材６は、下部周縁部６Ｅにより、床面に近接した箇所で、前記ベーシック部材４下のボトム３、およびベッドフレーム２を覆う寸法設定とすることができる（図２参照）。
また前記上層部材６の両側面には、シーツ１３を止め着ける係着手段１４を設けることができる。係着手段１４としては、スナップファスナや、あるいは面ファスナが好適である（図１参照）。
なお、前記詰物としてのウレタンフォーム材表面には、凹凸加工（プロファイル加工）を施すこともできる。
もちろん、前記ウレタンフォーム材は単に平坦な板体としてもよい。
また、前記上層部材６と、前記ベーシック部材４または中間部材５とは、適宜な係着手段（図示省略）によって連結することができる。
【００２６】
以上のようなベッド装置１において、ボトム３にセッティングする際、前記ボトム３上面にベーシック部材４を載置し、次いで中間部材５を前記ベーシック部材４を包む表地９の保持帯１０により保持するようにする。
この際、それぞれ種々の異なる固さの素材で構成した分割部材５ａ〜５ｈの中から、使用状況に応じて選択し、ループ状の保持帯１０にそれぞれ分割部材５ａ〜５ｈの両端部近傍を差し入れて、前記分割部材５ａ〜５ｈの拡縮変形力によって、簡単には抜けないように保持することができる（図４参照）。
分割部材５ａ〜５ｈを選択する際には、分割部材５ａ〜５ｈを包む網状袋体１１のボトム幅方向端面に対応する箇所のタグ１２によって、素材の硬さを確認することができる。
【００２７】
そして、最後に上層部材６を、ベーシック部材４と共に、分割部材５ａ〜５ｈ上に、上から被せる。この際、上層部材６は、下部周縁部６Ｅにより、床面に近接した箇所で、前記ベーシック部材４下のボトム３、およびベッドフレーム２を覆うように寸法設定しているので、ボトム３はもちろん、ベッドフレーム２も隠すことができ、ベッド装置１があたかも浮上しているようにも見え、すっきりした外観をもたらすことができる。
さらに、使用時には、シーツ１３を、上層部材６の両側面の係着手段１４によって、簡単に止め着けることができ、ベッドメーキングが容易である（図１参照）。
【００２８】
かかるベッド装置１において、上層部材６の、表地としてのニット地により、吸汗性、速乾性に優れ、皮膚に対する刺激が小さく、静電気の発生を抑制すると共に、帯電しにくいものとすることができ、詰物としてのウレタンフォーム材により、通気性を確保し、且つ反力の抑制によって血流阻害の低減を図ることができる。
【００２９】
また、中間部材５を、選択した固さの分割部材５ａ〜５ｈを使用することで、個人差によって体型や姿勢が異なることからくる違和感を最小にする、最適なクッション性をもたらすことができる。
【００３０】
また、通気性のよい表地９で覆った、合成樹脂製繊維を波形形状に成形して構成し、見掛け密度、圧縮硬さが所定のものを選定した適度な固さのベーシック部材４により、底着きしないことはもちろん、使用者が就寝中の寝返り等の動き、呼吸等による振動に対する反動の抑制、ずれ力の発生の抑制をもたらすことができる。
【００３１】
なお、前記上層部材６と、前記ベーシック部材４または中間部材５とを、適宜な係着手段によって係着するようにすれば、起伏機構により、背上げ、膝上げ調節を行なうべく、背ボトム３ａ、膝ボトム３ｃ、足ボトム３ｄを変位させても、上層部材６が前記ベーシック部材４および中間部材５から離れてばらばらになるようなことはない。
その際、ベーシック部材４を、合成樹脂製繊維を波形形状に成形して構成したことにより、曲げ応力、せん段応力を吸収するので、前記ベーシック部材４はボトム３の変位に追従し、ずれ力の発生を抑えることができる。また、前記ボトム３の長手方向端面に設けたずれ止め部材８により、ボトム３を起伏動作させた際にずれないように保持することができる。
【００３２】
また、本発明にかかるベッド装置１における上層部材６には、凹凸加工（プロファイル加工）を施すようにしても良い。
【００３３】
このような加工によって、ベッド装置１は、一層反力を抑えて使用者の血流阻害を低減し、効果的に通気性の促進をもたらすことができ、快適なベッド装置１とすることができる。
【００３４】
さらに本発明にかかるベッド装置１は、以下のように構成することもできる。すなわち図７、図８に示すように、ベッド装置１は、上層部材６内に、ベーシック部材４と中間部材５とを収容すると共に、上層部材６底面を裏当て部材１５によってファスナ１６により、一体的に閉止して構成することができる。
【００３５】
このような構成とすれば、上層部材６上に人が乗って変形しても、上層部材６がベーシック部材４および中間部材５から離れてばらばらになるようなことはなく、これら上層部材６、ベーシック部材４および中間部材５とが一体となって作用し、人が乗ったときや、寝返りにより発生する反動を抑制したり、人の新陳代謝により発生する熱と水分を、寝返り等の体動により、クッション材自体が呼吸するように拡縮変形することで放散させ、衣服内湿度を適度に保つものであることには変わりはない。
もちろん、中間部材５を、選択した固さの分割部材５ａ〜５ｈを使用することで、個人差によって体型や姿勢が異なることからくる違和感を最小にする、最適なクッション性をもたらすことができる。
【００３６】
さらに、図示は省略するが上述のように上層部材６内に前記ベーシック部材４および中間部材５を収容しなくても、上層部材６をベーシック部材４および中間部材５に被せた際、上層部材６下部側面は、ベーシック部材４上に中間部材５を配置する場合は、ベーシック部材４の底面の位置まで覆う設定とし、一方、中間部材５上にベーシック部材４を配置するような場合は、中間部材５の底面の位置まで覆う設定とすることができる。
かかる構成の場合、上層部材６とベーシック部材４または中間部材５とを、適宜な係着手段で、一体的に保持することができる。
【００３７】
このような構成においても、これら上層部材６、ベーシック部材４および中間部材５とが一体となって作用し、反動を抑制したり、人の新陳代謝により発生する熱と水分を放散させ、衣服内湿度を適度に保つものであり、さらには、中間部材５を、選択した固さの分割部材５ａ〜５ｈを使用することで、最適なクッション性をもたらすことができる。
【００３８】
【発明の効果】
本発明によれば、良質な眠りをもたらす要因である、
Ａ．人が乗ったときや、寝返りにより発生する反動を抑制可能であること、
Ｂ．人の新陳代謝により発生する熱と水分を、寝返り等の体動により、クッション材自体が呼吸するように拡縮変形することで放散させ、衣服内湿度を適度に保つものであること、
Ｃ．個人の体格差、趣味嗜好に合わせてクッション性を調整できるものであること、
等を具備し、しかも上層部材を、ベーシック部材と共に、中間部材における分割部材上に、上から被せることで、上層部材の下部周縁部により、前記ベーシック部材下のボトム、ベッドフレームを覆うようにして、外観上もシンプルで一体感のある新規なベッド装置を提供することができる。
【００３９】
【図面の簡単な説明】
【図１】本発明にかかるベッド装置の一例を示す、外観斜視図である。
【図２】図１に示すベッド装置の上層部材内側の構成を示した、斜視説明図である。
【図３】図１に示すベッド装置の断面説明図である。
【図４】図１に示すベッド装置の構成を説明する分解斜視説明図である。
【図５】図１に示すベッド装置における中間部材とその取り付け構成を示す、要部斜視説明図である。
【図６】図５に示す中間部材を構成する分割部材の外観斜視図である。
【図７】本発明にかかるベッド装置の別例にかかる断面説明図である。
【図８】図７に示すベッド装置における上層部材の斜視説明図である。
【符号の説明】
１                            ベッド装置
２                            ベッドフレーム
３                            ボトム
３ａ                          背ボトム
３ｂ                          腰ボトム
３ｃ                          膝ボトム
３ｄ                          足ボトム
３ｅ，３ｆ                    湾曲ボトム
４                            ベーシック部材
５                            中間部材
５ａ〜５ｈ                    分割部材
６                            上層部材
６Ｅ                          下部周縁部
７                            固定脚
８                            ずれ止め部材
９                            表地
１０                          保持帯
１１                          網状袋体
１２                          タグ
１３                          シーツ
１４                          係着手段
１５                          裏当て部材
１６                          ファスナ
【図１】
2004180880.tif 000003
【図２】
2004180880.tif 000004
【図３】
2004180880.tif 000005
【図４】
2004180880.tif 000006
【図５】
2004180880.tif 000007
【図６】
2004180880.tif 000008
【図７】
2004180880.tif 000009
【図８】
2004180880.tif 000010